(57)【要約】      （修正有）【課題】着用者と介護者の両方が容易に交換することが可能でありかつ着用者の股間にフィットすることが可能なおむつを提供する。【解決手段】着用者に着用されるパンツ形状のおむつ本体と、着用者の体液を吸収し保持する嵩高の吸収体と、おむつ本体と吸収体とを連結する連結部とを備え、連結部は伸縮性を有し、連結部が伸びた状態で着用者に装着されることにより、吸収体を着用者の股間に付勢させる。【選択図】図３
2005137587.tif 000002
【特許請求の範囲】
【請求項１】
着用者に着用されるパンツ形状のおむつ本体と、前記着用者の体液を吸収し保持する吸収体と、前記おむつ本体と前記吸収体とを連結する連結部と、を備えたおむつであって、
前記連結部は、伸縮性を有し、前記連結部が伸びた状態で前記着用者に装着されることにより、前記吸収体を前記着用者の股間に付勢させることを特徴とするおむつ。
【請求項２】
前記連結部は、前記おむつ本体の前身頃および後身頃に設けられた一対の第１連結片と、前記吸収体の長手方向両端側に設けられ、かつ前記各第１連結片に着脱自在に係合する一対の第２連結片とを備え、
前記おむつ本体は、前記吸収体を前記第２連結片とともに取り出し可能な吸収体取り出し口を有し、この吸収体取り出し口は、前記おむつ本体に形成された開口部と、この開口部を開閉する蓋部とを備えている請求項１に記載のおむつ。
【請求項３】
前記蓋部を開いた状態では、前記各第２連結片係合部が露出する請求項１または２に記載のおむつ。
【請求項４】
前記第２連結片に対する前記第１連結片の長さは、１．５倍以上４．０倍以下である請求項１から３のいずれかに記載のおむつ。
【請求項５】
前記第１連結片および前記第２連結片の少なくとも一方は、伸縮性を有する請求項１から４のいずれかに記載のおむつ。
【請求項６】
前記蓋部は、前記第１連結片に着脱自在に係合する請求項１または２に記載のおむつ。
【発明の詳細な説明】
【技術分野】
【０００１】
本発明は、使い捨ておむつ、トレーニングパンツ、失禁用おむつ等のパンツ形状の成人用おむつに関する。
【背景技術】
【０００２】
高齢者や身障者が使用する成人用の使い捨ておむつは、着用者の生活習慣、体調、介護レベルなどに対応して、大きく分けて二種類に分かれる。一つ目は身体を動かすことが不自由な高齢者や身障者、即ち、寝たきりの人に対して用いるパッド形状の使い捨ておむつであり、二つ目は身体を動かすことが可能である人に対して用いるパンツ形状の使い捨ておむつである。これらのおむつはいずれも「体液が漏れにくい」「交換が容易である」ということを重視して製造されている（特許文献１、特許文献２参照）。
【０００３】
特許文献１に記載のおむつは、おむつ本体と、前身頃および後身頃の一部に体液を吸収し保持する吸収機能部を連結するための吊持片と、を備えたパンツ形状のおむつである。おむつは、吊持片に吸収機能部を係合させて使用することを特徴としている。また、おむつは、着用者の身体にフィットさせるための胴回りギャザーをおむつ本体の胴回り方向に備えている。従って、吊持片を備えることによって、着用者が吸収機能部を交換することが容易になり、さらに胴回りギャザーを備えることによって、吸収機能部とおむつとの密着性を保持することが可能となるため漏れの発生を抑えることが可能となる。
【０００４】
また、特許文献２に記載のおむつは、前身頃に係合自在な開口部を設けたおむつ本体と、体液を吸収し保持する吸収機能部と、を備えたパンツ形状のおむつである。吸収機能部は、おむつの内側に貼着して用いることを特長としている。従って、開口部を備えることによって、着用者が仰向けに寝た状態での交換が可能となる。
【特許文献１】特許３２０５６９０号公報
【特許文献２】実公平４−２０４１８号公報
【発明の開示】
【発明が解決しようとする課題】
【０００５】
ところで、使い捨ておむつは、着用者または介護者のいずれか一方が交換を行うことを前提として製造されているため、着用者と介護者の両方が容易に交換することが可能なものではない。例えば、特許文献１記載のおむつにおいては、着用者は座って吸収機能部を交換することが容易であるが、介護者はおむつを脱がさなければ吸収機能部を交換することは困難である。また、吊持片が縦に伸縮しないため、着用者の体の動きに対して吸収パッドが股間にフィットし続けにくい。また、特許文献２記載のおむつにおいては、介護者は胴回り部分と前身頃を開閉することによって吸収機能部を交換することが容易であるが、着用者はおむつの身頃が身体から離れてしまうため吸収機能部を交換することが困難である。また、吸収機能部を股間にフィットさせる工夫が無いため、吸収機能部をフィットさせることができない。
【０００６】
本発明は、以上のような課題に鑑みてなされたものであり、その目的は、着用者と介護者の両方が容易に交換することが可能でありかつ着用者の股間にフィットすることが可能なおむつを提供することにある。
【課題を解決するための手段】
【０００７】
本発明は具体的に以下のようなものを提供する。
【０００８】
（１）  着用者に着用されるパンツ形状のおむつ本体と、前記着用者の体液を吸収し保持する吸収体と、前記おむつ本体と前記吸収体とを連結する連結部と、を備えたおむつであって、前記連結部は、伸縮性を有し、前記連結部が伸びた状態で前記着用者に装着されることにより、前記吸収体を前記着用者の股間に付勢させることを特徴とするおむつ。
【０００９】
本発明によると、連結部を介しておむつ本体に吸収体を備え付けているため、吸収体の交換が容易である。また、連結部に伸縮性を有する素材を使用することによって、吸収体が上下左右に動き、着用者の股間に付勢させることが可能となる。従って吸収体をおむつ本体に固定して使用したときよりも着用者の股間に密着しやすくなる。その結果、吸収体と着用者の股間との密着性の悪さから発生する体液の漏れを抑えることができる。
【００１０】
（２）  前記連結部は、前記おむつ本体の前身頃および後身頃に設けられた一対の第１連結片と、前記吸収体の長手方向両端側に設けられ、かつ前記各第１連結片に着脱自在に係合する一対の第２連結片とを備え、前記おむつ本体は、前記吸収体を前記第２連結片とともに取り出し可能な吸収体取り出し口を有し、この吸収体取り出し口は、前記おむつ本体に形成された開口部と、この開口部を開閉する蓋部とを備えている（１）に記載のおむつ。
【００１１】
本発明によると、連結部を第１連結片および第２連結片に分け、これらをおむつ本体および吸収体に設けたことにより、着用者が座った状態で吸収体を交換することが容易になる。また、おむつ本体に取り出し口を設けることにより、介護者にとっても吸収体の交換が容易となる。また、開口部を取り付けることによって、着用者が寝たままの状態や、立ったままの状態でおむつ本体を脱がすことなく、蓋部を開くだけで吸収体を交換することができる。従って、交換時におむつ本体を脱がす必要がないため、着用者の精神的な負担を減らすことになる。
【００１２】
（３）  前記蓋部を開いた状態では、前記各第２連結片係合部が露出する（１）または（２）に記載のおむつ。
【００１３】
本発明によると、蓋部を開いた状態において、各第２連結片係合部が露出することによって、介護者の吸収体の交換をより容易なものとしている。
【００１４】
（４）  前記第２連結片に対する前記第１連結片の長さは、１．５倍以上４．０倍以下である（１）から（３）のいずれかに記載のおむつ。
【００１５】
本発明によると、第２連結片に対する第１連結片の長さを、１．５倍以上４．０倍以下にすることによって、着用者が仰向けに寝た状態で吸収体を交換することがより容易になる。また、着用者の股間に連結部、特に第１連結片と第２連結片との係合部が接触し、違和感を覚えるということがなく着用することが可能となる。
【００１６】
（５）  前記第１連結片および前記第２連結片の少なくとも一方は、伸縮性を有する（１）から（４）のいずれかに記載のおむつ。
【００１７】
本発明によると、第１連結片および第２連結片の少なくとも一方に伸縮性を持たせることによって吸収体を着用者の股間に付勢させることが可能となる。また、連結片の両方に伸縮性を持たせることによって、吸収体をより確実に着用者の股間に付勢させることが可能となる。
【００１８】
（６）  前記蓋部は、前記第１連結片に着脱自在に係合する（１）または（２）に記載のおむつ。
【００１９】
本発明によると、蓋部が第１連結片に着脱自在に係合することにより、第１連結片と第２連結片との係合部がおむつ本体と一体になる。そのため、着用者の股間に連結部、特に第１連結片と第２連結片との係合部が接触し、違和感を覚えるという状態を防ぐことが可能となる。更に蓋部を開いたときに吸収体も一緒に股間から離れることになるため着用者および介護者の両方が吸収体を交換しやすい。また、第１連結部がおむつ本体を兼ねているため、製造に必要な部品の種類が削減され、製造コストの削減につながる。
【発明の効果】
【００２０】
以上説明したように本発明は、着用者に着用されるパンツ形状のおむつ本体と、着用者の体液を吸収し保持する吸収体と、おむつ本体と吸収体とを連結する伸縮性を有する連結部と、を備えたおむつである。これにより、連結部が伸びた状態で着用者に装着され、吸収体が着用者の股間に付勢され、着用者の股間と吸収体との密着性の悪さから発生する漏れが生じにくくなり、かつおむつ本体に開口部を備えることによって、着用者と介護者の両方が吸収体の交換を行うことが容易となる。
【発明を実施するための最良の形態】
【００２１】
以下、本発明をより詳しく説明する。
【００２２】
本発明のおむつは「パンツ形状のおむつ本体と、前記着用者の体液を吸収し保持する吸収体」を備えている。ここで「パンツ形状のおむつ本体」とは、下着のパンツまたはショーツと同様の形状を有しているものを指す。このおむつ本体の素材は、綿、ポリエステルなど天然繊維、化学繊維等は問わないが、着用者にフィットさせるためにおむつ本体全体に伸縮性を持たせることが好ましく、伸縮性不織布からなることがより好ましい。また、図１のようにおむつ本体１０は、胴回りギャザー１２および脚回りギャザー１４の他に、胴回りフィットギャザー２０と股下フィットギャザー２２とを備えていることが更に好ましい。胴回りフィットギャザー２０と股下フィットギャザー２２には、非伸縮性不織布の間にエラスティック材を張り合わせた伸縮シートや伸縮フィルム、伸縮不織布などを用いることが好ましい。また、股下フィットギャザー２２は、脚回りギャザー１４と連動していてもよく、連動していなくてもよい。
【００２３】
「前記着用者の体液を吸収し保持する吸収体」とは、透液性のトップシートと、不透液性のバックシートと、トップシートおよびバックシートの間に介在する吸液性物質と、からなることが好ましく、所謂尿取りパッドと同様の機能を有するものであることが更に好ましい。図２に吸収体３０の外観を示す。吸収体３０は、吸収機能部４０と、その長手方向両端側に備え付けられたおむつ本体１０と連結するための第２連結片４２と、からなる。吸収機能部４０の長手方向の寸法は、２００から５００ｍｍであり、短手方向の寸法は、８０から２００ｍｍであることが好ましく、吸収機能部４０の長手方向の寸法が、２００から４００ｍｍ、短手方向の寸法は、９０から１５０ｍｍであることが更に好ましい。また、吸収機能部４０は、着用者の体液を吸収し漏らさないように保持することが可能な嵩高さを有していることが好ましい。具体的には、３から３０ｍｍの嵩高さを有していることが好ましく、５から１０ｍｍの嵩高さであることが更に好ましい。さらに、吸収機能部４０の形状は、着用者の体液を吸収することが可能である形状を有していれば特に問わないが、おむつ本体１０の股下部分の形状に合うように、長手方向に対する中央側縁部に半楕円形状の切り欠きを形成したものであることが好ましい。
【００２４】
第２連結片４２の寸法は、吸収体３０の方向を基準とし、長手方向が５０から１５０ｍｍであり、短手方向が５０から１５０ｍｍであることが好ましく、長手方向が７０から１２０ｍｍ、短手方向が７０から１２０ｍｍであることが特に好ましい。なお第２連結片４２の先端側には、第２係合部４４が備え付けられている。この第２係合部４４は、マジックテープ、粘着テープ、ホック、ボタン、ファスナー、レールファスナー等、おむつ本体に備え付けられた係合部と係合可能な手段であればよい。また、第２連結片４２は、吸収体３０の長手方向両端側に複数設けられていてもよい。
【００２５】
また本発明のおむつは「前記おむつ本体と前記吸収体とを連結する連結部と、を備えたおむつ」である。図３は、おむつ本体１０に吸収機能部４０を装着させた状態を示した図である。なお、おむつ本体１０は、図１のおむつ本体と同一のものであり、簡略化のため胴回りギャザー等は省略した。おむつ本体１０には、内側に吸収機能部４０に備え付けられた第２連結片４２と係合するための第２連結片４２と同数の第１連結片４６が設けられ、第１連結片４６は、第２連結片４２と同様に先端側に第１係合部４８を備えている。第１係合部４８は、第２係合部４４と同一の素材からなることが好ましい。また、第１連結片４６と第２連結片４２とを係合したものを連結部５０といい、長手方向に伸縮性を有する。従って、第１連結片４６または第２連結片４２の少なくともどちらか一方が伸縮性を有する素材からなる。伸縮性を有する素材には、伸縮性不織布、非伸縮性不織布の間にエラスティック材を張り合わせた伸縮シートや伸縮フィルムなどを用いることが好ましい。
【００２６】
また本発明のおむつは「吸収体を第２連結片とともに取り出し可能な吸収体取り出し口を有し、この吸収体取り出し口は、前記おむつ本体に形成された開口部と、この開口部を開閉する蓋部」を備えている。図４は、おむつ本体１０に吸収体取り出し口となる開口部１６および蓋部１８を備え付けたものである。吸収体取り出し口の場所は、おむつ本体１０の前身頃側にあることが好ましい。蓋部１８は、先端側にマジックテープ、レールファスナー、ファスナー等の互いに係合可能な部材を取り付け、開口部１６と着脱自在にする。なお、蓋部１８を開いた時には、吸収機能部４０を取り出しやすいように連結部５０の全体または一部が露出していることが好ましい。着用者が寝た状態で介護者が吸収機能部４０を交換する場合は、第１連結片４６の方が第２連結片４２よりも長い方がよい。第２連結片４２に対する第１連結片４６の長さは、１．５倍以上４．０倍以下であり、２．０倍以上３．０倍以下であることが好ましく、２．３倍以上２．５倍以下であることが更に好ましい。第２連結片４２に対する第１連結片４６の長さが、１．５倍以上４．０倍以下になってしまうと第２連結片４２に対する第１連結片４６の係合部が露出せず吸収機能部４０が取り出しにくくなってしまう。
【００２７】
更にまた本発明のおむつは「前記蓋部は、前記第１連結片に着脱自在に係合する」おむつである。図５は、第１連結片４６がおむつ本体１０と一体となり、蓋部１８が第１連結片４６と着脱自在であるおむつを示したものである。第２連結片４２は、蓋部１８と第１連結片４６との間に介在し、蓋部１８と第１連結片４６共に着脱自在であることが好ましく、蓋部１８を開けたときに吸収機能部４０も着用者の股間から離れ、蓋部１８と同時に開くことが更に好ましい。
【実施例】
【００２８】
本発明のおむつと従来技術のおむつの性能の評価を行った。本発明のおむつは、図４に示すように蓋部１８を開いた時に連結部５０が露出している形状のおむつであり、従来技術のおむつは表１に示す通りの形状を有しているものである。
【００２９】
【表１】
2005137587.tif 000003
【００３０】
これらのおむつの吸収体の交換を着用者が行った場合と、介護者が行った場合とに分けてそれぞれの交換時間の測定を行った。また、これらのおむつの漏れの発生率を測定した。
【００３１】
漏れの発生率の試験方法はまず、おむつを人工尿及び人工便を排出することが可能な試験人形に装着させたものをサンプルとし、これに人工尿を１５０ｃｃ／１５ｓｅｃの速度で投入した。次に、人工尿を５分間隔で投入を続け、４５０ｃｃまで投入した（４５０ｃｃ以下で漏れた場合は投入を停止した）。最後に総投入量を測定した。この作業をそれぞれのおむつに対して５０サンプル用意し、漏れ率を算出した。その結果を表２に示す。
【００３２】
【表２】
2005137587.tif 000004
【００３３】
この結果より本発明のおむつは、着用者、介護者の両方にとって吸収体の交換が容易でありかつ漏れの発生率も低いということが示された。
【図面の簡単な説明】
【００３４】
【図１】本発明のおむつ本体を示した図である。
【図２】本発明の吸収体を示した図である。
【図３】本発明のおむつを示した図である。
【図４】本発明のおむつを示した図である。
【図５】本発明のおむつを示した図である。
【符号の説明】
【００３５】
１０    おむつ本体
１２    胴回りギャザー
１４    脚回りギャザー
１６    開口部
１８    蓋部
２０    胴回りフィットギャザー
２２    股下フィットギャザー
３０    吸収体
４０    吸収機能部
４２    第２連結片
４４    第２係合部
４６    第１連結片
４８    第１係合部
５０    連結部
【図１】
2005137587.tif 000005
【図２】
2005137587.tif 000006
【図３】
2005137587.tif 000007
【図４】
2005137587.tif 000008
【図５】
2005137587.tif 000009